(57)【要約】      （修正有）【課題】ディスクを簡単に保持でき、しかもその保持を確実に行ってディスクの損傷を可及的に防止するディスクケースを提供する。【解決手段】ディスク保持部３は、平板部４ａと突起部４ｂとディスク押圧部４ｄからなる係合部材４と、係合部材４をケース本体２に対し支承する支承部材１１であり、ディスク開口部が各突起部４ｂに係合している場合に平板部４ａを押圧すると撓んで各突起部４ｂを平板部４ａ側へ倒し開口部から退避させるとともに各ディスク押圧部４ｄでディスクの面を押圧して開口部と各突起部４ｂとの係合を解除し、該解除の後に平板部４ａの押圧を解除すると撓みによる弾発力により初期状態に復帰して係合部材４を初期状態に復帰させる支承部材１１を具えている。【選択図】図１
2004182315.tif 000002
【特許請求の範囲】
【請求項１】
ディスクの中央部に形成された開口部に係合して前記ディスクを保持するディスク保持部をケース本体に有するディスクケースにおいて、
前記ディスク保持部は、
前記ケース本体の水平面と平行に配置される平板部と、前記平板部に連設され、該平板部を囲繞するように配設された複数の突起部と、該各突起部にそれぞれ連設され、前記複数の突起部全体を囲繞するように配設された複数のディスク押圧部とからなる係合部材と、
該係合部材を前記ケース本体に対し支承する支承部材であって、
前記ディスクの前記開口部が前記複数の突起部に係合している場合に前記平板部を押圧すると撓んで、前記複数の突起部を前記平板部側へ倒して前記複数の突起部を前記ディスクの前記開口部から退避させるとともに前記複数のディスク押圧部を前記ディスクの面を押圧する方向へ移動させて前記複数のディスク押圧部によって前記ディスクの面を押圧し、これにより前記ディスクの前記開口部と前記係合部材の前記複数の突起部との係合を解除し、前記ディスクの前記開口部と前記係合部材の前記複数の突起部との係合を解除した後に前記平板部の前記押圧を解除すると、前記撓みによる弾発力によって初期状態に復帰するととともに前記係合部材を前記支承部材の弾発力によってディスク保持可能な初期状態に復帰させる支承部材
とを具えるようにしたことを特徴とするディスクケース。
【請求項２】
前記係合部材には、前記各突起部と前記各ディスク押圧部との間に、前記ディスクの前記開口部と前記複数の突起部とが係合している場合の前記ディスクの前記面を載置させるディスク載置部がそれぞれ配設されていることを特徴とする請求項（１）記載のディスクケース。
【請求項３】
前記係合部材には、前記平板部と前記各突起部との間に、前記各突起部を前記平板部側へ倒して前記各突起部を前記ディスクの前記開口部から退避させる溝がそれぞれ形成されていることを特徴とする請求項（１）記載のディスクケース。
【発明の詳細な説明】
【０００１】
【発明の属する技術分野】
この発明は、ＣＤ、ＤＶＤ等、各種の光ディスクを収納するディスクケースに関する。
【０００２】
【従来の技術】
ＣＤ、ＣＤ−Ｒ、ＣＤ−ＲＯＭ、ＤＶＤ等の各種の光ディスク（以下、単に「ディスク」という。）の中央部には、一般に、円形の開口部が形成されている。
【０００３】
一方、このディスクを収容するディスクケースは、通常、ディスクを保持するケース本体と、該ディスク本体を覆うカバーとを具えており、このうちのケース本体には、カバーによって覆われる面の略中央に、ディスクの上記開口部に係合して該ディスクを保持するディスク保持部が突設されている。
【０００４】
このディスク保持部は、ケース本体と一体形成され、かつ、放射状に配置された複数の係合片から構成されている。この各係合片は、隣接する係合片と互いに若干の間隔を隔てて配置されており、また複数の係合片の各先端部側は、全体としてまとまって、ディスクの開口部を嵌挿する環状部が形成されるように上方に向け立ち上げられている。また、複数の係合片の各先端はいずれも、環状部の内側へ向けて折り曲げられている。
【０００５】
このような従来のディスクケースでは、ディスクの開口部をディスク保持部の環状部に嵌挿させると、ディスクの開口部が該複数の係合片を押圧して該複数の係合片を前記環状部の内側へ向け撓ませるので、ディスクの開口部は該複数の係合部による弾発力によってこの複数の係合片に係合し、これによりディスクはケース本体に保持される。
【０００６】
また、この従来のディスクケースでは、保持したディスクをケース本体から取り外すには、複数の係合片の各先端を同時に押圧して該複数の係合片を強制的に初期状態に復帰させるとともにディスクの周縁を上方に持ち上げるようにしてディスクの開口部とディスク保持部の係合片との係合を解除するようにしている。
【０００７】
【発明が解決しようとする課題】
ところで、上述した従来のディスクケースでは、ディスクの開口部をディスク保持部の環状部に嵌挿させた場合に生じる複数の係合片の弾発力によってディスクを係合保持するようにしており、保持したディスクをケース本体から取り外すには、複数の係合片の各先端を同時に押圧して該複数の係合片を強制的に初期状態に復帰させるとともにディスクの周縁を上方に持ち上げるようにしてディスクの開口部とディスク保持部の係合片との各係合を解除するようにしているから、ディスクをケース本体から取り外す作業が困難であるという問題があった。
【０００８】
また、従来のディスクでは、複数の係合片に生じる弾発力によってディスクを係合保持するようにしているから、ディスクに外部から衝撃が加えられた場合には、ディスクの開口部と各係合片との係合が解除されやすく、ディスクの開口部と各係合片との係合が解除された場合にはディスクがケース本体内で移動してケース本体の内壁やディスク保持部に衝突し、ディスクが損傷を受けるという問題があった。
【０００９】
上述した事情に鑑み、この発明は、ディスクを簡単に保持でき、しかもその保持を確実に行ってディスクの損傷を可及的に防止するディスクケースを提供することを目的とする。
【００１０】
【課題を解決するための手段】
上述した課題を解決するため、この発明は、ディスクの中央部に形成された開口部に係合して前記ディスクを保持するディスク保持部をケース本体に有するディスクケースにおいて、前記ディスク保持部は、前記ケース本体の水平面と平行に配置される平板部と、前記平板部に連設され、該平板部を囲繞するように配設された複数の突起部と、該各突起部にそれぞれ連設され、前記複数の突起部全体を囲繞するように配設された複数のディスク押圧部とからなる係合部材と、該係合部材を前記ケース本体に対し支承する支承部材であって、前記ディスクの前記開口部が前記複数の突起部に係合している場合に前記平板部を押圧すると撓んで、前記複数の突起部を前記平板部側へ倒して前記複数の突起部を前記ディスクの前記開口部から退避させるとともに前記複数のディスク押圧部を前記ディスクの面を押圧する方向へ移動させて前記複数のディスク押圧部によって前記ディスクの面を押圧し、これにより前記ディスクの前記開口部と前記係合部材の前記複数の突起部との係合を解除し、前記ディスクの前記開口部と前記係合部材の前記複数の突起部との係合を解除した後に前記平板部の前記押圧を解除すると、前記撓みによる弾発力によって初期状態に復帰するととともに前記係合部材を前記支承部材の弾発力によってディスク保持可能な初期状態に復帰させる支承部材とを具えるようにしている。
【００１１】
【発明の実施の形態】
以下、本願発明に係るディスクケースの実施例について詳述する。
【００１２】
図１は、本願発明に係る実施例のディスクケースの要部概念平面図である。  本願発明の実施例のディスクケース１は、ディスク２１（図２）を保持するケース本体２と、該ディスク本体２を覆う図示せぬカバーとから構成されている。
このうちのケース本体２には、図１で示すように、前記カバーによって覆われる面の略中央に、ディスク２１（図２）の中央部に形成された開口部２１ａ（図２）に係合し、該ディスク２１を保持するディスク保持部３が形成されている。
【００１３】
このディスク保持部３は、図１のＡＡ概念断面図である図２で示すように、ケース本体２の水平面２ａと平行に配置される平板部４ａを具えた係合部材４と、該係合部材４をケース本体２に対し支承する支承部材１１（図１）とを具えている。
なお、図２では図１と同一部分を同一符号で示しており、また図２では支承部材１１の図示を省略している（また、後述する図４、図６および図７についても図２と同様に、支承部材１１の図示を省略する）。
【００１４】
図１及び図２で示すように、このディスク保持部３を構成している係合部材４には、平板部４ａに連設され、該平板部４ａを囲繞するように配設された複数の突起部４ｂと、該各突起部４ｂにそれぞれ連設され、複数の突起部４ｂの全体を囲繞するように配設された複数のディスク押圧部４ｄとが形成されている。
また、係合部材４には、各ディスク押圧部４ｄと各突起部４ｂとの間に、ディスク２１の開口部２１ａが複数の突起部４ｂに係合している場合の該ディスク２１の面２１ｂを載置させるディスク載置部４ｃ（図７）がそれぞれ形成されている。
また、係合部材４には、各突起部４ｂと平板部４ａとの間に、該各突起部４ｂを平板部側４ａへ退避させる各溝４ｅがそれぞれ形成されている。
【００１５】
なお、図１及び図２で示すように、このディスクケース１では、係合部材４の突起部４ｂは平板部４ａを挟むように二つ配設されており、係合部材の溝４ｅ、ディスク載置部４ｃ、ディスク押圧部４ｄは各突起部４ｂの上記数量に対応して二つずつ配設されている。
【００１６】
また、図１の支承部材１１は、図１のＢＢ概念断面図であって図１と同一部分を同一符号で示す図３で示すように、ケース本体２と一体形成されている。この支承部材１１は、初期状態においてケース本体２から垂直方向に立ち上がるように形成されており、立ち上げられた平板部４ａ側で係合部材４を支承している。また、このディスクケース１では、図１で示すように２つの支承部材１１を一組とし、二組の支承部材１１を、各突起部４ｂに対応してそれぞれ配設している。
【００１７】
次に、上述した本発明の実施例に係るディスクケース１の動作を説明し、併せて構成をより詳細に説明する。
【００１８】
図２に示す初期状態のディスクケース１では、係合部材４の各突起部４ｂの先端はケース本体２の水平面２ａに対し垂直方向に向いている。また、複数の突起部４ｂによって形成される外径Ｓはディスク２１の開口部２１ａの径Ｗより大きくなるように設定されており（Ｓ＞Ｗ）、該複数の突起部４ｂの各軸部によって形成される径Ｒは、ディスク２１の開口部２１ａの径Ｗと同じ、または径Ｗよりも若干小さくなるように設定されている（Ｒ≦Ｗ）。また、図３で示すように、初期状態の支承部材１１は撓んでいない。
【００１９】
ここで、図４で示すようにディスク２１の開口部２１ａを複数の突起部４ｂに押し付けると、図３の支承部材１１は図５で示すように平板部４ｂ（図４）側へ撓み、これにより図４及び図４のディスク保持部３の支承部材１１がさらに撓んだ状態を示す図６で示すように、支承部材１１に支承されている複数の突起部４ｂが各溝４ｅを介して平板部４ａ側へ倒れて該複数の突起部４ｂがディスク２１の開口部２１ａから退避するとともに、複数のディスク押圧部４ｄがディスク２１の面２１ｂを押圧する方向へ移動する。
【００２０】
そのため、図６で示すように、ディスク２１の開口部２１ａから退避した複数の突起部４ｂは、該複数の突起部４ｂによって形成される外径Ｓがディスク２１の開口部２１ａの径Ｗと同径となり（Ｓ＝Ｗ）、ディスク２１の開口部２１ａ内に複数の突起部４ｂの突起が嵌挿する。
【００２１】
そして、図７で示すようにディスク２１の開口部２１ａが複数の突起部４ｂの突起を通過すると、図３の支承部材１１は上記撓みによる弾発力によって初期状態に復帰する。また、係合部材４は、図７で示すように支承部材１１の上記弾発力によって初期状態に復帰するとともに、各突起部４ｂの軸部に、ディスク２１の開口部２１ａが係合し、これによりディスク２１がケース本体２に対し保持されることとなる。
【００２２】
なお、ディスク２１がケース本体２に保持された状態では、複数の突起部４ｂによって形成される外径Ｓはディスク２１の開口部２１ａの径Ｗより大きい初期状態に復帰する（Ｓ＞Ｗ）。
【００２３】
このように、本願発明のディスクケース１では、従来のディスクケースのように複数の突起部４ｂの弾発力によってディスク２１を保持するのではなく、弾発力によって初期状態に復帰した複数の突起部４ｂによってディスク２１を保持するから、ディスク２１の開口部２１ａと係合部材４の突起部４ｂとの係合は確実に行われる。
したがって、たとえディスク２１に外部から衝撃が加えられた場合であっても、ディスク２１の開口部２１ａと係合部材４の突起部４ｂとの係合が解除されることは可及的に防止され、これにより前記係合が解除されてディスク２１がケース本体２内で移動して該ディスク２１がケース本体２の内壁やディスク保持部３と衝突し、ディスク２１が損傷を受けることも可及的に防止される。
【００２４】
また、図７で示すようにディスク２１がケース本体２に保持された状態では、ディスク２１の面２１ｂは複数のディスク載置部４ｃに載置される。したがって、このディスク載置部４によると、ディスク２１を可及的に安定保持することができる。
【００２５】
一方、図７で示すようにディスク２１がケース本体２に対し保持されている場合に、ディスク２１をケース本体２から取り外すには、平板部４ａを押圧する。
【００２６】
すると、図３に示す初期状態に復帰している支承部材１１が、図５に示すように平板部４ａ側（図６）に撓んで、これにより図６で示すように、支承部材１１が支承している複数の突起部４ｂが各溝４ｅを介し平板部４ａ側へ倒れてディスク２１の開口部２１ａから退避するとともに、複数のディスク押圧部４ｄがそれぞれディスク２１の面を２１ｂ押圧する方向へ移動してディスク２１の面２１ｂを押圧する。
そのため、図４に示すようにディスク２１の開口部２１ａと複数の突起部４ｂの各軸部との係合が解除され、各突起部４ｂの突起が開口部２１ａ内に嵌挿するとともに、ディスク２１が上方に押し上げられる。
そして、図２に示すように、ディスク２１の開口部２１ａから各係合部４の突起が完全に脱出するまで該ディスク２１が押し上げられると、ディスク２１の開口部２１ａと複数の突起部４ｂとの係合が完全に解除されるので、これによりディスク２１をケース本体２から取り外すことができる。
【００２７】
このように、本願発明の実施例のディスクケース１では、平板部４ａを単に押圧することによりディスク２１の開口部２１ａと係合部材４の複数の突起部４ｂとの係合が解除できるので、従来のディスクケースディスクに比べ、ディスク２１の開口部２１ａと係合部材４の複数の突起部４ｂとの係合を解除する作業が簡単で、これによりケース本体２からディスク２１を取り外す作業を簡単にすることができる。
【００２８】
また、図２で示すようにディスク２１の開口部２１ａと係合部材４の複数の突起部４ｂとの係合が解除された後に平板部４ａの押圧を解除すると、図３で示すように支承部材１１は前記撓みによる弾発力によって直ちに初期状態に復帰するとともに、図２で示すように支承部材１１の弾発力によって、係合部材４をディスク保持可能な初期状態に直ちに復帰させる。
したがって、新たに別のディスク２１をケース本体２に保持させる保持作業を行うにも、該ディスク２１の開口部２１ａをケース本体２の係合部材４に係合させる上述した保持動作を直ちに行うことができるので、該保持作業を簡単かつ迅速に行うことができる。
【００２９】
上述したように本願発明のディスクケース１では、ディスク２１の中央部に形成された開口部２１ａに係合してディスク２１を保持するディスク保持部３をケース本体２に有するディスクケース１において、ディスク保持部３に、ケース本体２の水平面２ａと平行に配置される平板部４ａと、該平板部４ａに連設され、該平板部４ａを囲繞するように配設された複数の突起部４ｂと、該各突起部４ｂにそれぞれ連設され、複数の突起部４ｂ全体を囲繞するように配設された複数のディスク押圧部４ｄとからなる係合部材４と、該係合部材４をケース本体２に対し支承する支承部材１１であって、ディスク２１の開口部２１ａが複数の突起部４ｂに係合している場合に平板部４ａを押圧すると撓んで、複数の突起部４ｂを平板部４ａ側へ倒して該複数の突起部４ｂをディスク２１の開口部２１ａから退避させるとともに複数のディスク押圧部４ｄをディスク２１の面２１ａを押圧する方向へ移動させて複数のディスク押圧部４ｄによってディスク２１の面２１ｂを押圧し、これによりディスク２１の開口部２１ａと係合部材４の複数の突起部４ｂとの係合を解除し、またディスク２１の開口部２１ａと係合部材４の複数の突起部４ｂとの係合を解除した後に平板部４ａの押圧を解除すると、支承部材１１は前記撓みによる弾発力によって初期状態に復帰するとともに、支承部材１１の前記弾発力によって係合部材４をディスク嵌着可能な初期状態に復帰させる支承部材１１を具えるようにしているから、平板部４ａを単に押圧するという作業でディスク２１を簡単に保持できるとともに、初期状態に復帰した状態でディスク２１を保持するからディスク２１の開口部２１ａと係合部材４の突起部４ｂとの係合は確実に行われ、たとえディスク２１に外部から衝撃が加えられた場合であっても、ディスク２１の開口部２１ａと係合部材４の突起部４ｂとの係合が解除されることは可及的に防止され、これにより前記係合が解除されてディスク２１がケース本体２内で移動して該ディスク２１がケース本体２の内壁やディスク保持部３と衝突し、これによりディスク２１が損傷を受けることは可及的に防止される。
【００３０】
なお、上記実施例のディスクケース１では、図１で示すように、その係合部材４の突起部４ｂを二つ配設するとともに、ディスク押圧部４ｄ及び溝４ｅの各数量を、突起部４ｂの数量（二つ）に対応して、それぞれ二つずつ配設し、また支承部材１１も突起部４ｂの数量（二つ）に対応して二組配設されることとしたが、係合部材４の突起部４ｂの数量は二つに限定されず、ディスク押圧部４ｄ、及び溝４ｅの各数量も二つずつに限定されないし、また支承部材１１も二組に限定されない。
【００３１】
この発明のディスクケースでは、係合部材４の突起部４ｂは複数配設されていればよく、ディスク押圧部４ｄ、及び溝４ｅも突起部４ｂに対応して複数配設されていればよく、また支承部材１１も、係合部材４の突起部４ｂに対応して複数組配設されていればよい。
【００３２】
たとえば、本願発明の別の実施例であるディスクケース３１を示す図８のように、本願発明の別の実施例であるディスクケース３１のケース本体３２には、ディスク保持部３３として、係合部材３４の突起部４ｂ、ディスク押圧部４ｄ、および溝４ｅがそれぞれ三つずつ配設されるとともに、支承部材１１が突起部４ｂ等の数量（三つ）に対応して三組配設されている。尚、図８では図１と同一部分を同一符号で示している。
【００３３】
このディスクケース３１では、設置する係合部材３４の突起部４ｂを、図１のディスクケース１に比べて多く配設しているから、該ディスクケース１に比べ、突起部４ｂによるディスク２１の係合保持が一層確実となり、そのため、たとえディスク２１に外部から衝撃が加えられた場合であっても、ディスク２１の開口部２１ａと係合部材４の突起部４ｂとの係合が解除されることは一層可及的に防止され、これにより前記係合が解除されてディスク２１がケース本体２内で移動して該ディスク２１がケース本体２の内壁やディスク保持部３３と衝突し、これによりディスク２１が損傷を受けることも一層可及的に防止されることとなる。
【００３４】
また、図８のディスクケース３１では、設置する係合部材３４のディスク押圧部４ｄを、図１のディスクケース１に比べて多く配設しているから、該ディスクケース１に比べ、ディスク２１の面２１ｂに可及的に多くの箇所に均等に押圧する力が加えられることとなる。したがって、ディスク２１の開口部２１ａと係合部材４ｂとの係合を解除する場合にその解除作業がしやすくなって、ディスク２１をケース本体２から取り外す作業が一層容易になる。
なお、上述した図１のディスクケース１、図８のディスクケース３１では、ディスク載置部４ｃの数量を、突起部４ｂ、溝４ｅ、およびディスク押圧部４ｄの各数量（複数）に対応してこれら同数配設することとし、これにより上述のように、ディスク２１を安定保持することとしたが、ディスク載置部４ｃを図１のディスクケース１より多く配設した図８のディスクケース３１では、図１のディスクケース１に比べ、一層可及的にディスク２１を安定保持できる。
【００３５】
【発明の効果】
以上説明したように、本願発明のディスクケースでは、そのディスク保持部が、ケース本体の水平面と平行に配置される平板部と、該平板部に連設され、該平板部を囲繞するように配設された複数の突起部と、該各突起部にそれぞれ連設され、複数の突起部全体を囲繞するように配設された複数のディスク押圧部とからなる係合部材と、該係合部材をケース本体に対し支承する支承部材であって、ディスクの開口部が複数の突起部に係合している場合に平板部を押圧すると撓んで、複数の突起部を平板部側へ倒して該複数の突起部をディスクの開口部から退避させるとともに複数のディスク押圧部をディスクの面を押圧する方向へ移動させて複数のディスク押圧部によってディスクの面を押圧し、これによりディスクの開口部と係合部材の複数の突起部との係合を解除し、またディスクの開口部と係合部材の複数の突起部との係合を解除した後に平板部の前記押圧を解除すると、支承部材は前記撓みによる弾発力によって初期状態に復帰するとともに、支承部材の前記弾発力によって係合部材をディスク嵌着可能な初期状態に復帰させる支承部材とを具えているから、平板部を単に押圧するという作業でディスクを簡単に保持できるとともに、初期状態に復帰した状態でディスクを保持するからディスクの開口部と係合部材の突起部との係合は確実に行われ、たとえディスクに外部から衝撃が加えられた場合であっても、ディスクの開口部と係合部材の突起部との係合が解除されることは可及的に防止され、これにより前記係合が解除されてディスクがケース本体内で移動して該ディスクがケース本体の内壁やディスク保持部と衝突し、これによりディスクが損傷を受けることは可及的に防止される。
【図面の簡単な説明】
【図１】この発明のディスクケースの一実施例であるディスクケースの要部概念平面図。
【図２】図１のディスクケースのＡＡ概念断面図であって、特にディスク保持部を構成する係合部材の初期状態を示す図。
【図３】図１のディスクケースのＢＢ概念断面図であって、特にディスク保持部を構成する支承部材の初期状態を示す図。
【図４】図２のディスク保持部を構成する係合部材の動作を示す図。
【図５】図３のディスク保持部を構成する支承部材の動作を示す図。
【図６】図２のディスク保持部を構成する係合部材の動作を示す図。
【図７】図２のディスク保持部を構成する係合部材の動作を示す図であって、特にディスク保持部にディスクが保持された様子を示す図。
【図８】この発明の別の実施例であるディスクケースの要部概念平面図。
【符号の説明】
１、３１…ディスクケース
２、３２…ケース本体
２ａ、３２ａ…水平面
３、３３…ディスク保持部
３４…係合部材
４ａ…平板部
４ｂ…突起部
４ｃ…ディスク載置部
４ｄ…ディスク押圧部
４ｅ…溝
１１…支承部材
２１…ディスク
２１ａ…開口部
２１ｂ…ディスクの面
【図１】
2004182315.tif 000003
【図２】
2004182315.tif 000004
【図３】
2004182315.tif 000005
【図４】
2004182315.tif 000006
【図５】
2004182315.tif 000007
【図６】
2004182315.tif 000008
【図７】
2004182315.tif 000009
【図８】
2004182315.tif 000010
【手続補正書】
【提出日】平成14年12月12日(2002.12.12)
【手続補正１】
【補正対象書類名】図面
【補正対象項目名】全図
【補正方法】変更
【補正の内容】
【図１】
2004182315.tif 000011
【図２】
2004182315.tif 000012
【図３】
2004182315.tif 000013
【図４】
2004182315.tif 000014
【図５】
2004182315.tif 000015
【図６】
2004182315.tif 000016
【図７】
2004182315.tif 000017
【図８】
2004182315.tif 000018